(57)【特許請求の範囲】
【請求項１】
筺体を構成するフロントケースに開口を設け、この開口の端縁に前記フロントケースの内方に向かって突設された支承部を設け、この支承部に前記フロントケースの内側から着脱自在に固定され前記開口を覆うカード案内部材を備え、このカード案内部材は、接触型カード用のカード挿入口部材または非接触型カード用のカードホルダーで構成され、これらカード案内部材のそれぞれの背面に固定されるカード処理装置によって前記カード案内部材のうちのいずれか一方を前記支承部に選択的に取り付けたことを特徴とするカード式公衆電話機。
【請求項２】
請求項１記載のカード式公衆電話機において、前記カード挿入口部材にカード挿入口を設けるとともに前記カード挿入口部材の裏面にガイド部を設け、前記接触型カード用のカード処理装置に凸条体を設け、前記凸条体を前記ガイド部によってガイドさせることにより、前記接触型カード用のカード処理装置を前記カード挿入口部材の裏面側に固定したことを特徴とするカード式公衆電話機。
【発明の詳細な説明】
【０００１】
【発明の属する技術分野】
本発明は、磁気カード、接触型ＩＣカードおよび非接触型ＩＣカード等の各種のカードが使用できるカード式公衆電話機に関する。
【０００２】
【従来の技術】
近年、カード式公衆電話機においては、磁気カードが使用できるもの、接触型ＩＣカードが使用できるもの、または非接触型ＩＣカードが使用できるものというように、多種類のカード式公衆電話機が提供されるようになってきた。このうち、磁気カードと接触型ＩＣカードが使用できるものにおいては、電話機のフロントケースに設けたスリット状のカード挿入口からカードを挿入すると、電話機内に設けられたカード処理装置によってカードがカード処理装置内に取り込まれる。そして、カード処理装置内のカード処理部でカードのデータの処理が行われ、処理が終了すると、再びカード挿入口から返却されるように構成されている。一方、非接触型ＩＣカードが使用できるものにおいては、フロントケースの外側に設けられたカードホルダー部にカードを載置すると、フロントケースの内部に設けられたカード処理装置とカードとの間で電波のやりとりが行われ、データの処理が行われるようになっている。
【０００３】
【発明が解決しようとする課題】
しかしながら、上述した従来のカード式公衆電話機において、磁気カードと接触型ＩＣカードを使用する電話機では、カードを電話機の内部に取り込む必要があるために、構造上、フロントケースにカード挿入口を設けなければならかった。一方、非接触型ＩＣカードを使用する電話機では、フロントケースの外側に設けたカードホルダー部に載置されたカードと、電話機内部に設けられたカード処理装置との間を無線を介してデータの処理を行うために、フロントケースにカード挿入口を設ける必要がなかった。このため、磁気カード、接触型ＩＣカードと非接触型ＩＣカードを扱う公衆電話機においては、これらのフロントケースを共通に使うことができなかった。また、磁気カードを使用するタイプと非接触型ＩＣカードを使用するタイプとの間においても、両者のカードの厚みが異なると、同じカード挿入口が使用できないために、フロントケースをカードの厚みに合わせて用意する必要があった。このように、使用するカードに対応させてフロントケースを用意しなければならないことにより、開発費用が嵩むばかりか金型を製造する費用が増大するので、製造コストが増大していた。また、外形の大きいフロントケースを多種類在庫として保管しなけれならないため、保管スペースが増大するという問題もあった。
【０００４】
本発明は上記した従来の問題に鑑みなされたものであり、その目的とするところは、製造コストの低減を図るとともに、保管スペースを小さくしたカード式公衆電話機を提供することにある。
【０００５】
【課題を解決するための手段】
この目的を達成するために、請求項１に係る発明は、筺体を構成するフロントケースに開口を設け、この開口の端縁に前記フロントケースの内方に向かって突設された支承部を設け、この支承部に前記フロントケースの内側から着脱自在に固定され前記開口を覆うカード案内部材を備え、このカード案内部材は、接触型カード用のカード挿入口部材または非接触型カード用のカードホルダーで構成され、これらカード案内部材のそれぞれの背面に固定されるカード処理装置によって前記カード案内部材のうちのいずれか一方を前記支承部に選択的に取り付けたものである。
したがって、使用されるカードに対応して選択したカード案内部材を支承部に固定し、カード案内部材の背面にカードに対応して選択したカード処理装置を固定する。
【０００６】
また、請求項２に係る発明は、請求項１に係る発明において、前記カード挿入口部材にカード挿入口を設けるとともに前記カード挿入口部材の裏面にガイド部を設け、前記接触型カード用のカード処理装置に凸条体を設け、前記凸条体を前記ガイド部によってガイドさせることにより、前記接触型カード用のカード処理装置を前記カード挿入口部材の裏面側に固定したものである。
したがって、カード処理装置をガイド部を介して案内させるとカード処理装置のカード挿入口とカード案内部材のカード挿入口とが対応する。
【０００７】
【発明の実施の形態】
以下、本発明の実施の形態を図を用いて説明する。図１は本発明に係るカード式公衆電話機の外観を示し、同図（ａ）は正面図、同図（ｂ）は側面図、図２は接触型カード用のカード処理装置を取り付けた構造を示し、カード挿入部材を取り除いた状態の正面図、同図（ｂ）は同図（ａ）におけるII（ｂ）-II（ｂ） 線断面図である。図３は図２（ａ）におけるIII-III 線断面図、図４は接触型カード用のカード処理装置の取り付け状態を分解して示す下方から視た斜視図である。図５は接触型カード用のカード処理装置の取り付け状態を拡大して示す要部断面図、図６は非接触型カード用のカード処理装置の取り付け状態を拡大して示す要部断面図、図７は同じく要部斜視図である。
【０００８】
図１において、全体を符号１で示すものはカード式公衆電話機であって、このカード式公衆電話機１の筺体は、背面側と前面側とにそれぞれ開口を有する共にプラスチックで形成されたフロントケース２とリアケース３とからなり、これら両ケース２，３が互いの開口を突き合わせるようにして合体されている。フロントケース２の前部の左方には、ハンドセット５が載置され、中央の上下には、表示パネル６とダイヤルボタン７とが設けられ、右方の上下には、後述する接触型ＩＣカード用のカード挿入口部材８と説明板９とが設けられている。同図（ｂ）において、１０は錠前であって、図示を省略した鍵をこの錠前１０に差し込み、回動操作することによって図２（ｂ）に示すように、係合レバー１１が回動し、フロントケース２の係合部（図示せず）に係合し、両ケース２，３が施錠される。
【０００９】
図２において、フロントケース２の左方の上下には、ハンドセット５が載置される凹部１３，１４が設けられ、中央の上下には表示パネル設置用の窓１５と多数のダイヤルボタン操作孔１６が穿設され、右方の下部には説明板９を取り付けるための凹部１７が設けられている。また、フロントケース２の右方の上部には、本発明の特徴である長方形の開口２０が穿設され、この開口２０の左右の側縁には、フロントケース２の内側に向かって突設された左右二対の支承片２１が設けられている。これら左右二対の支承片２１の先端には、支承片２１と直交し互いに対向するように突設された支承部２２が一体に形成され、これら支承部２２には挿通孔２３が設けられている。
【００１０】
次に、図１ないし図５を用いて、カード案内部材としてのカード挿入口部材８について説明する。
図１（ａ）および図３において、カード挿入口部材８は平板状のプラスチックによって前記フロントケース２の開口２０よりもわずかに小さい外形に形成され、上下方向における略中央の左右には、凸部２５，２６が一体に形成され、これら凸部２５，２６の間には、凹部２７が一体に形成されている。図１（ａ）において、２８はスリット状に形成されたカード挿入口であって、このカード挿入口２８は凸部２５，２６の互いに対向する側部と凹部２７の全体にわたって設けられ、これら凸部２５，２６と凹部２７の前後を貫通するように形成されている。
【００１１】
図４に示すように、カード挿入口部材８の裏面の四隅には、ねじ穴が設けられた４個の突子３０が一体に突設され、これら突子３０は前記開口２０の支承部２２に対応している。カード挿入口部材８の凹部２７の背面部には、３個の当接片３１が一体に突設され、中央の当接片３１にはねじ穴が形成された突子３２が設けられ、左右の当接片３１，３１の端縁には、位置決め用の小突起３３，３３が突設されている。３５，３５はカード挿入口部材８の裏面の左右に一体に突設された一対のガイド部であって、これらガイド部３５，３５には、互いに対向するガイド溝３６，３６が設けられている。
【００１２】
４０は略直方体状に形成された接触型ＩＣカード用のカード処理装置であって、前端に図示を省略したカード挿入口が設けられ、このカード挿入口から挿入されたカードは内部に取り込まれ、カードのデータが処理され、処理後にカード挿入口から排出されるように構成されている。このカード処理装置４０の両側部の前方側には、一対の凸条体４１，４１（一方の凸条体４１は図示を省略）が一体に突設され、底部には垂直下方に向かって突当片４２が一体に突設されている。この突当片４２の中央には、前記カード挿入口部材８の突子３２に対応した挿通孔４３が設けられ、左右には、小突起３３，３３に対応した小孔４４と長孔４５が設けられている。
【００１３】
このように構成されていることにより、接触型ＩＣカード用のカード処理装置４０をフロントケース２に固定するには、図４において、カード挿入口部材８をフロントケース２の前方側から開口２０に係入すると、カード挿入口部材８の突子３０がフロントケース２の支承部２２に当接する。ねじ４７を支承部２２の挿通孔２３を挿通させ、突子３０のねじ穴に螺合させることにより、カード挿入口部材８が開口２０を覆うようにしてフロントケース２に固定される。
【００１４】
フロントケース２の背面側からカード処理装置４０の一対の凸条体４１，４１を、カード挿入口部材８のガイド部３５，３５のガイド溝３６，３６内に係入させ、これらガイド溝３６，３６をガイドとしてカード処理装置４０を前方側に移動させる。カード処理装置４０の突当片４２の小孔４４と長孔４５がカード案内部材８の左右の当接片３１，３１の小突起３３，３３に嵌合すると、カード挿入口部材８のカード挿入口２８とカード処理装置４０のカード挿入口（図示せず）が互いに対向するように位置決めされる。ねじ４８を突当片４２の挿通孔４３に挿通させ、カード挿入口部材８の突子３２のねじ穴に螺合させることにより、カード処理装置４０がカード挿入口部材８を介してフロントケース２に固定される。
【００１５】
このように、カード挿入口部材８をフロントケース２に固定するのに、フロントケース２の内側からねじ４７によって行ったことにより、フロントケース２とリアケース３とが錠前１０によって施錠されるので、第三者によってカード挿入口部材８が取り外されることが防止される。また、カード処理装置４０とカード挿入口部材８の互いのカード挿入口を対向させるのに、カード処理装置４０の凸条体４１をカード挿入口部材８のガイド部３５のガイド溝３６によってガイドすることにより行うようにしたので、位置決めが容易かつ確実に行われる。
【００１６】
次に、図６および図７を用いて非接触型ＩＣカード用のカード処理装置６２の固定構造を説明する。
これらの図において、５０は非接触型ＩＣカード用のカード案内部材としてのカードホルダーであって、全体がプラスチックによって一体に形成され、フロントケース２の開口２０よりもわずかに小さい外形の背面板５１と、両側板５２，５２と底板５３とから概略形成されている。両側板５２，５２の先端には、互いに対向するように係合片５４，５４が突設され、底板５３の先端には、上方に向かって係合片５５が突設され、これら係合片５４，５４および係合片５５によって、上方にカード挿入口５８を有する略ポケット状のホルダー部５７が形成されている。係合片５４，５４の上端部５４ａ，５４ａは、裏面側が傾斜するように上方に向かって漸次厚みが小さくなるように形成されている。
【００１７】
このカードホルダー５０の背面板５１の裏面側の四隅には、ねじ穴が設けられた４個の突子６０が突設され、これら４個の突子６０は、前記フロントケース２の４個の支承部２２に対応している。６２は非接触型ＩＣカード用のカード処理装置であって、カードホルダー５０の背面板５１の裏面に固定され、カードホルダー５０のホルダー部５７に保持された非接触型ＩＣカード６５と無線によってデータの処理を行うように構成されている。
【００１８】
次に、フロントケース２に、上述した接触型ＩＣカード用のカード処理装置４０の替わりに、非接触型ＩＣカード用のカード処理装置６２を固定する方法を説明する。
まず、図１（ｂ）において、錠前１０を図示を省略した鍵によって回動操作し、フロントケース２とリアケース３との施錠を解除し、フロントケース２の背面側の開口を開放する。次に、図４において、ねじ４８の螺合を解除し、接触型ＩＣカード用のカード処理装置４０をフロントケース２の背面側に移動させて、カード挿入口部材８から取り外す。ねじ４７の螺合を解除することにより、カード挿入口部材８をフロントケース２から取り外す。
【００１９】
このような状態として、図６に示すように、非接触型ＩＣカード用のカード処理装置６２が固定されたカードホルダー５０の背面板５１を、フロントケース２の前面側から開口２０に係入し、背面板５１の突子６０をフロントケース２の支承部２２に当接させる。フロントケース２の内側からねじ４７を支承部２２の挿通孔２３を挿通させ、突子６０のねじ穴に螺合させることにより、カードホルダー５０がフロントケース２に固定され、カード処理装置６２もカードホルダー５０を介してフロントケース２に固定される。
【００２０】
このように、フロントケース２の開口２０を設け、この開口２０に接触型ＩＣカード用のカード案内部材８と非接触型ＩＣカード用のカードホルダー５０とを選択的に固定することにより、接触型ＩＣカード用のカード処理装置４０と、非接触型ＩＣカード用のカード処理装置６２を選択的に固定することができる。このため、フロントケース２をこれら両カードに共通して使用することができるので、フロントケース２の開発費用が嵩むことがないだけではなく金型を製作する費用も削減され、製造コストの低減が図られる。また、外形の大きいフロントケース２を１種類だけ在庫として保管すればよいので、保管スペースを小さくすることができる。
【００２１】
接触型カードとしてはＩＣカードに限らず、磁気カードであってもよい。
【００２２】
【発明の効果】
以上説明したように本発明によれば、筺体を共通に使用することができるので、製造コストの低減が図られるとともに、保管スペースを小さくすることができる。
【００２３】
また、請求項２に係る発明によれば、接触型カード用のカード処理装置の組付けが容易で確実に行われる。
【図面の簡単な説明】
【図１】  本発明に係るカード式公衆電話機の外観を示し、同図（ａ）は正面図、同図（ｂ）は側面図である。
【図２】  本発明に係るカード式公衆電話機における接触型カード用のカード処理装置を取り付けた構造を示し、カード挿入口部材を取り除いた状態の正面図、同図（ｂ）は同図（ａ）におけるII（ｂ）-II（ｂ） 線断面図である。
【図３】  図２（ａ）におけるIII-III 線断面図である。
【図４】  本発明に係るカード式公衆電話機において、接触型カード用のカード処理装置の取り付け状態を分解して示す下方から視た斜視図である。
【図５】  本発明に係るカード式公衆電話機において、接触型カード用のカード処理装置の取り付け状態を拡大して示す要部断面図である。
【図６】  本発明に係るカード式公衆電話機において、非接触型カード用のカード処理装置の取り付け状態を拡大して示す要部断面図である。
【図７】  本発明に係るカード式公衆電話機において、非接触型カード用のカード処理装置の取り付け状態を拡大して示す要部斜視図である。
【符号の説明】
１…カード式公衆電話機、２…フロントケース、８…カード挿入口部材、２０…開口、２２…支承部、２８…カード挿入口、３５…ガイド部、４０…接触型ＩＣガード用のカード処理装置、４１…凸条体、５０…カードホルダー、６２…非接触型ＩＣカード用のカード処理装置。
【図１】
0003799932.tif 000002
【図２】
0003799932.tif 000003
【図３】
0003799932.tif 000004
【図４】
0003799932.tif 000005
【図５】
0003799932.tif 000006
【図６】
0003799932.tif 000007
【図７】
0003799932.tif 000008